(57)【特許請求の範囲】
【請求項１】
２つの空間の境界に設けられる枠体と、前記枠体の内側を開口と壁部とに仕切る縦骨と、を有する建具であって、
前記枠体が有する下枠は、前記開口を形成する開口下枠部、前記開口下枠部と見付け方向に間隔を隔てて設けられ前記壁部を形成する壁下枠部、及び、前記開口下枠部と前記壁下枠部との、前記２つの空間のうちの一方の空間側にて前記開口下枠部と前記壁下枠部とにわたるように一体に形成された下枠本体部、を有し、
前記縦骨は、前記開口下枠部の前記壁部側の端、前記下枠本体部の他方の空間側の端、前記壁下枠部の前記開口側の端、にて形成された凹部にシール材を介して設けられ、
前記凹部は、前記壁下枠部の前記開口側の端が、前記一方の空間側から前記他方の空間側に向かって前記開口下枠部の前記壁部側の端との間隔が広がるように形成されており、
前記壁下枠部は、前記下枠本体部の前記他方の空間側の端と繋がって同一平面をなす板状部と、前記板状部の上部に設けられ前記壁部を構成する面材の下端を保持する面材保持部とを有し、
前記板状部は、前記開口側に向かって延出された延出部を有し、当該延出部が前記縦骨の前記一方の空間側に位置し、前記延出部と前記縦骨との間にシール材が介在されていることを特徴とする建具。
【請求項２】
請求項１に記載の建具であって、
前記壁下枠部の前記開口側には、前記一方の空間側から前記他方の空間側に向かって前記開口下枠部の前記壁部側の端との間隔が広がるような傾斜をなす傾斜部材が設けられて前記壁下枠部の前記開口側の端をなしていることを特徴とする建具。
【請求項３】
請求項１または請求項２に記載の建具であって、
前記縦骨は、前記壁下枠部の前記開口側の端と前記対向する部位を有することを特徴とする建具。
【請求項４】
請求項１乃至請求項３のいずれかに記載の建具であって、
前記壁下枠部の前記開口側の端には、前記他方の空間側に見込み方向に沿う部位を有していることを特徴とする建具。
【発明の詳細な説明】
【技術分野】
【０００１】
本発明は、２つの空間の境界に設けられる枠体の内側を開口と壁部とに仕切る縦骨を有する建具に関する。
【背景技術】
【０００２】
２つの空間の境界に設けられる枠体の内側を開口と壁部とに仕切る縦骨を有する建具としては、例えば、上枠、下枠、戸先側縦枠、戸尻側縦枠から方形状に組まれ、両縦枠の中間位置に縦骨が配置され、縦骨の一方側に開口が、他方側に引き戸を収納する側の壁が設けられる建具が知られている（例えば、特許文献１参照）。
【０００３】
この建具が有するサッシ枠は、下枠が押出し成形後、縦骨と戸尻側縦枠との間の部分を、ある幅で切断することで形成されており、下枠に取り付けられた縦骨と戸尻側縦枠との間に、壁を形成するパネルの下端が収容される部位を備えた下枠アタッチメントが取り付けられている。また、縦骨と下枠との間、及び、縦骨と下枠アタッチメントとの間には薄肉のシール材であるシーラーが挟み込まれている。
【先行技術文献】
【特許文献】
【０００４】
【特許文献１】特開平１１−１４１２３４号公報
【発明の概要】
【発明が解決しようとする課題】
【０００５】
上記のような建具は、枠体の下側の部位が下枠と下枠アタッチメントとにて構成されているため、縦骨と下枠とを、縦骨と下枠アタッチメントとをシーラーを介してそれぞれ取り付けなければならず取り付けが煩雑である。また、下枠アタッチメントを下枠に一体に設けた構造とすると、縦骨の取り付け部となる下枠の開口側の部位と壁側の部位との間にシーラーを介するように縦骨を装着しなければならず、装着時にシーラーを傷つけてしまったり捲れてしまったりして、シール性を確保することが難しいという課題がある。
【０００６】
本発明は、かかる課題に鑑みてなされたものであり、その目的とするところは、シール材を損傷することなく、縦骨を下枠に容易に取り付け可能な建具を提供することにある。
【課題を解決するための手段】
【０００７】
かかる目的を達成するために本発明の建具は、２つの空間の境界に設けられる枠体と、前記枠体の内側を開口と壁部とに仕切る縦骨と、を有する建具であって、前記枠体が有する下枠は、前記開口を形成する開口下枠部、前記開口下枠部と見付け方向に間隔を隔てて設けられ前記壁部を形成する壁下枠部、及び、前記開口下枠部と前記壁下枠部との、前記２つの空間のうちの一方の空間側にて前記開口下枠部と前記壁下枠部とにわたるように一体に形成された下枠本体部、を有し、前記縦骨は、前記開口下枠部の前記壁部側の端、前記下枠本体部の他方の空間側の端、前記壁下枠部の前記開口側の端、にて形成された凹部にシール材を介して設けられ、前記凹部は、前記壁下枠部の前記開口側の端が、前記一方の空間側から前記他方の空間側に向かって前記開口下枠部の前記壁部側の端との間隔が広がるように形成されており、前記壁下枠部は、前記下枠本体部の前記他方の空間側の端と繋がって同一平面をなす板状部と、前記板状部の上部に設けられ前記壁部を構成する面材の下端を保持する面材保持部とを有し、前記板状部は、前記開口側に向かって延出された延出部を有し、当該延出部が前記縦骨の前記一方の空間側に位置し、前記延出部と前記縦骨との間にシール材が介在されていることを特徴とする建具である。
【０００８】
このような建具によれば、縦骨が取り付けられる凹部を形成する前記壁下枠部の開口側の端が、一方の空間側から他方の空間側に向かって開口下枠部の壁部側の端との間隔が広がるように形成されているので、縦骨を他方側の空間側から取り付けることにより容易に取り付けることが可能である。このとき、縦骨は凹部の広い部位から装着されるので、縦骨と下枠との間に介在されるシール材が損傷させることなく縦骨を容易に取り付けることが可能である。
【０００９】
また、下枠本体部の他方の空間側の端と繋がって同一平面をなす板状部が有する、開口側に向かって延出された延出部が、縦骨の一方の空間側に位置して、縦骨との間にシール材が介在されているので、下枠本体部、壁下枠部、縦骨との接合部分をより確実にシールすることが可能である。
【００１０】
かかる建具であって、前記壁下枠部の前記開口側には、前記一方の空間側から前記他方の空間側に向かって前記開口下枠部の前記壁部側の端との間隔が広がるような傾斜をなす傾斜部材が設けられて前記壁下枠部の前記開口側の端をなしていることが望ましい。
【００１１】
このような建具によれば、壁下枠部の開口側が、一方の空間側から他方の空間側に向かって開口下枠部の壁部側の端との間隔が広がるように加工を施すことなく、傾斜部材を設けるだけで、一方の空間側から他方の空間側に向かって開口下枠部の壁部側の端との間隔が広がるような傾斜を容易に備えることが可能である。
【００１２】
かかる建具であって、前記縦骨は、前記壁下枠部の前記開口側の端と前記対向する部位を有することが望ましい。
【００１３】
このような建具によれば、縦骨が、壁下枠部の開口側の端と対向する部位を有しているので、縦骨と壁下枠部の開口側の端との間もシール性を確保することが可能である。このためよりシール性の高い建具を提供することが可能である。
【００１４】
かかる建具であって、建具であって、前記壁下枠部の前記開口側の端には、前記他方の空間側に見込み方向に沿う部位を有していることが望ましい。
【００１５】
このような建具によれば、縦骨が設けられる凹部を形成する下枠部の開口側の端における他方の空間側に見込み方向に沿う部位が設けられているので、凹部に配置された縦骨の壁部側への移動を規制することが可能である。このため、縦骨を適切な位置に配置しやすい下枠を備えた建具を提供することが可能である。
【発明の効果】
【００１６】
本発明によれば、シール材を損傷することなく、縦骨を下枠に容易に取り付け可能な建具を提供することが可能である。
【図面の簡単な説明】
【００１７】
【図１】本実施形態に係る浴室建具の横断面図である。
【図２】本実施形態に係る浴室建具の出入口側における縦断面図である。
【図３】本実施形態に係る浴室建具の壁部側における縦断面図である。
【図４】縦骨と下枠との取付部及び取付方法を説明するための平面図である。
【図５】縦骨と下枠との取付部及び取付方法を浴室側から見た斜視図である。
【図６】縦骨と下枠との取付部及び取付方法を脱衣室側から見た斜視図である。
【図７】下枠の第１変形例を説明するための平面図である。
【図８】縦骨の第１変形例を説明するための平面図である。
【図９】縦骨の第２変形例を説明するための平面図である。
【図１０】下枠の第２変形例を説明するための平面図である。
【発明を実施するための形態】
【００１８】
以下、本発明の一実施形態に係る建具について図面を参照して説明する。  
本実施形態の建具は、２つの空間としての浴室と脱衣室との境界に設けられる浴室建具１であり、例えば、図１に示すように、一方の空間側となる脱衣室側から見て縦骨２０の左側の領域が閉止可能な開口でなる出入口２をなし、右側の領域が壁部３をなして、壁部３の脱衣室側を見付け方向に沿って移動する障子５が、前記出入口２を開閉可能に構成された引き込み戸タイプの建具である。
【００１９】
以下の説明においては、建物等に取り付けられた状態の浴室建具１を脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。
【００２０】
浴室建具１は、浴室内外の境界に設けられる枠体１０と、枠体１０の脱衣室側の部位にて見付け方向に移動可能に設けられ、枠体１０における見付け方向の約半分の領域でなる出入口２を開閉自在に設けられた障子５と、壁部３側の枠体１０の内周側に設けられる壁面材２１と、を有している。
【００２１】
枠体１０は、アルミニウム製の押出成形部材でなり、図１〜図３に示すように、左右の縦枠１１、１２、上枠１３、下枠１４、及び、左右の縦枠１１、１２のほぼ中央に設けられた縦骨２０と、を有している。縦骨２０は、見込み方向において左の縦枠１１の幅のほぼ半分の幅を有し、浴室内側に設けられており、右の縦枠１２は障子５より脱衣室側にて額縁３３と接合されており、浴室側の部位が、縦骨２０の脱衣室側のほぼ半分の部位と対向している。すなわち、縦骨２０の脱衣室側の部位と右側の縦枠１２の浴室側の部位とは、見込み方向における中央近傍にて、見付け方向に対向するように配置されており、この対向する部位にて端部が支持されて、壁部３の脱衣室側となる脱衣室側の壁面をなす壁面材２１が設けられている。
【００２２】
左側の縦枠１１は、右側の縦枠１２の脱衣室側と同様に額縁３３と接合された、見込み方向に沿う面を有する縦枠壁部１１ｅが、右側の縦枠１２と対向するように設けられており、左の縦枠１１の浴室側においては、縦骨２０の浴室側の部位と対向するように設けられている。また、左の縦枠１１には、障子５が閉じられたときに、縦框（戸先框）５ａと対向するとともに長手方向に沿って出入口２の内周側に突出する縦突出片１１ａに縦止水部材５１が、障子５の浴室側と脱衣室側とにそれぞれ設けられている。２つの縦止水部材５１は、縦突出片１１ａの先端に設けられた嵌合部１１ｂに嵌合されている。
【００２３】
縦骨２０は、アルミニウム製の押出成形部材でなり、縦枠壁部１１ｅと見付け方向に間隔を隔てて対向する対向壁部２０ａと、対向壁部２０ａの浴室側の縁から壁部３側に延出されて浴室側に臨む面を有する浴室壁部２０ｂと、対向壁部２０ａの脱衣室側の縁から壁部３側に延出されて脱衣室側に臨む面を有する延出壁部２０ｃと、延出壁部２０ｃの壁部３側の縁から浴室側に延出され対向壁部２０ａとほぼ平行に形成された壁側延出部２０ｄと、壁側延出部２０ｄの浴室側の縁から壁部３側に突出させて設けられ壁面材２１の出入口２側の端部を浴室側から支持する壁面材支持部２０ｅと、延出壁部２０ｃの出入口２側の端部に脱衣室側に突出され障子５の戸尻框５ｂとの間をシールする縦骨シール材５３が嵌合される嵌合部２０ｆと、を有している。この嵌合部２０ｆは、枠体１０として枠組みされたときの、上枠１３の位置より上方及び下枠１４の位置より下方となる部位は切除されている。
【００２４】
下枠１４は、躯体(不図示)に支持されるとともに、図２に示すように、脱衣室側の床材３０から浴室側に設けられた防水パン３５に架け渡され、上面に障子５を案内する下レール１４ａが設けられている。
【００２５】
下枠１４は、躯体上に載置される中空部１４ｂと、中空部１４ｂの脱衣室側の壁部１４ｃの上端からビス孔を介して上方に延出された立上部１４ｄと、立上部１４ｄの上縁から脱衣室側に延出され床材３０の端部を上から覆う床材覆い部１４ｅと、中空部１４ｂの浴室側の壁部１４ｆの上端から浴室側に延出された部位とを有している。立上部１４ｄは、下レール１４ａ上を移動する障子５の下框５ｃと見込み方向に間隔を隔てて設けられており、床材覆い部１４ｅの浴室側の縁部には、立上部１４ｄの上端側を共有して下枠シール材５０が嵌合される下嵌合溝１４ｇが設けられている。
【００２６】
下枠シール材５０は、見付け方向に沿って見付け方向における全域に設けられており、脱衣室側から浴室側に向かってほぼ水平に延出されて障子５に当接される下シール部５０ｂと、下シール部５０ｂより脱衣室側にて上方に立ち上がった水返し部５０ｃと、下シール部５０ｂと水返し部５０ｃとを連結する連結部５０ｄと、連結部５０ｄの下面に設けられ下嵌合溝１４ｇに嵌合される嵌合部５０ａと、を有している。すなわち、下シール部５０ｂと水返し部５０ｃとが連結部５０ｄにて連結されて一体に形成され、下嵌合溝１４ｇに嵌合部５０ａが嵌合されると、連結部５０ｄが床材覆い部１４ｅ上に位置して平坦な面を形成している。下枠シール材５０の連結部５０ｄ及び嵌合部５０ａは、下シール部５０ｂと水返し部５０ｃより硬質な樹脂にて形成されている。
【００２７】
本実施形態の浴室建具１は、脱衣室側から見て左側が出入口２をなし、右側が壁部３をなしているので、下枠１４における中空部１４ｂの浴室側の壁部１４ｆの上端から浴室側に延出された部位の形状が、図２、図３に示すように、出入口２側と壁部３側とで相違している。
【００２８】
また、下枠１４は押出成形部材なので、まず断面形状が同一の基材が押出成形された後に、縦骨２０が取り付けられる取付凹部２２（図４）が形成される。
【００２９】
押出成形にて形成されて加工が施される前の基材は、見付け方向の全域にわたって、中空部１４ｂの浴室側の壁部１４ｆの上端から浴室側に延出された延出部１４ｈと、延出部１４ｈの先端に設けられ防水パン３５に設けられた溝部３５ａに挿入される防水パン係合部１４ｉと、を有している。
【００３０】
延出部１４ｈには、中空部１４ｂの浴室側の壁部１４ｆに近い側にて浴室側が低くなる段部１４ｊが形成されており、段部１４ｊから浴室側に繋がった部位には、見付け方向に沿って設けられ上方に向かって突出されて上端部に、壁部３に設けられて脱衣室側の壁面を形成する壁面材２１が支持される面材支持部１４ｋが形成されている。面材支持部１４ｋは、上方に立設された板状部としての立上壁部１４ｍと、立上壁部１４ｍの上端から浴室側に延出された水平面を有する水平延出部１４ｎと、水平延出部１４ｎの浴室側に設けられて下方に窪む壁面材保持部１４ｏが設けられている。
【００３１】
面材支持部１４ｋの浴室側には、下方に凹設されて後述する樹脂製のカバー部材１７が嵌合される嵌合溝１４ｌが見付け方向に沿って形成されている。嵌合溝１４ｌをなす脱衣室側の部位は、上部にて立上壁部１４ｍと繋がり、下部にて嵌合溝１４ｌの下方に垂設された垂壁部１４ｐと繋がっている。
【００３２】
基材は、見付け方向におけるほぼ中央に、縦骨２０の脱衣室に臨む面が、防水パン係合部１４ｉ及び面材支持部１４ｋより脱衣室側に位置するように、脱衣室側に入り込むように切り欠かれて、縦骨２０が取り付けられる取付凹部２２が形成される。取付凹部２２を形成する際には、立上壁部１４ｍと嵌合溝１４ｌの一部を介して繋がった平面を形成する垂壁部１４ｐを残して、その浴室側の部位が切除される。このとき、立上壁部１４ｍと垂壁部１４ｐとが繋がった平面が浴室に臨む面２２ａをなす。
【００３３】
取付凹部２２が形成されることにより、下枠１４の浴室側が出入口２側の開口下枠部２３と壁部３側の壁下枠部２５と分割され、分割された開口下枠部２３と壁下枠部２５にそれぞれ加工を施して下枠１４が形成される。このため、下枠１４は、開口下枠部２３と、開口下枠部２３と見付け方向に間隔を隔てて設けられた壁下枠部２５とが、開口下枠部２３と壁下枠部２５との脱衣室側に、開口下枠部２３と壁下枠部２５とにわたるように配置された下枠本体部２９が一体に形成されている。すなわち、取付凹部２２は、開口下枠部２３の壁部３側の端と、下枠本体部２９における開口下枠部２３と壁下枠部２５の間の浴室側の端と、壁下枠部２５の出入口２側の端とで形成されている。
【００３４】
取付凹部２２を形成する開口下枠部２３の壁部３側の端は、縦骨２０の対向壁部２０ａとほぼ同幅にて当該対向壁部２０ａ対向するように、見込み方向に沿って切断されている。また、下枠本体部２９における開口下枠部２３と壁下枠部２５の間の浴室側の端は、縦骨２０の延出壁部２０ｃとほぼ同幅にて当該延出壁部２０ｃと対向するように、見付け方向に沿って切断されている。壁下枠部２５の出入口２側の端は、脱衣室側から浴室側に向かって開口下枠部２３の壁部３側の端との間隔が広がるように、たとえは４５度の角度をなすような傾斜を備えて切断されている。
【００３５】
取付凹部２２が形成された基材は、出入口２側では面材支持部１４ｋが基端から、ほぼ平坦になるように切除され、壁部３側では嵌合溝１４ｌを形成する部位を残して浴室側の部位が切除されて下枠１４が形成されている。このとき、取付凹部２２の上方にて浴室側に突出している水平延出部１４ｎと壁面材保持部１４ｏも切除する。また、取付凹部２２をなす立上壁部１４ｍは、取付凹部２２に縦骨２０が取り付けられたときに縦骨２０の嵌合部２０ｆと、嵌合部２０ｆに嵌合された縦骨シール材５３とに接触しない位置にて切除する。すなわち、壁下枠部２５の立上壁部１４ｍは、開口下枠部２３と壁下枠部２５との間の取付凹部２２側まで延出されて繋がって浴室に臨む面２２ａを形成している。ここで、立上壁部１４ｍが壁下枠部２５から取付凹部２２側に突出している縦骨対向部２２ｂが、出入口２側に向かって延出された延出部に相当する。
【００３６】
そして、出入口２側には、面材支持部１４ｋを切除した切除面を覆うとともに段部１４ｊの脱衣室側と浴室側とを繋ぐ傾斜面を備えたカバー部材１７が嵌合溝１４ｌに嵌合されている。このため、下枠１４の出入口２側は、立上部１４ｄより浴室側の表面が、浴室側に向かって高さが低くなるような傾斜を有している。ここで、カバー部材１７は、出入口２側のみに設けられている。
【００３７】
縦骨２０を下枠に取り付ける際には、図４〜図６に示すように、縦骨２０には、対向壁部２０ａから延出壁部２０ｃにかけて、開口下枠部２３の壁部３側の端と接触する部位及び取付凹部２２にて浴室に臨む面２２ａと接触する部位に薄肉状のシール材５５を貼り付け、さらにシール材５５が縦骨２０の壁側延出部２０ｄより壁部３側に突出するように備えておく。また、下枠１４には、取付凹部２２を形成する浴室に臨む面２２ａと壁下枠部２５の出入口２側の端をなす壁面材保持部１４ｏの縁と壁面材保持部１４ｏの浴室に臨む面とにわたってシール材５６を備えておく。
【００３８】
そして、シール材５５が貼り付けられた縦骨２０を、下枠１４に設けられている取付凹部２２の浴室側から、脱衣室側に向かって近づけて縦骨２０側のシール材５５と下枠１４側のシール材５６とを当接させてビスにて固定する。このとき、取付凹部２２は、開口下枠部２３の壁部３側の端と壁下枠部２５の出入口２側の端との間隔が、浴室側の方が広いので、シール材５５とシール材５６とが、縦骨２０が下枠本体部２９にできるだけ近づいた位置にて接触するように、縦骨２０の対向壁部２０ａのシール材５５が開口下枠部２３の壁部３側の端のシール材５６から離れた位置から近づけつつ取り付ける。取り付けられた縦骨２０の延出壁部２０ｃの脱衣室側にはシール材５５及びシール材５６を介して縦骨対向部２２ｂが対向している。
【００３９】
上記実施形態の建具１によれば、縦骨２０が取り付けられる取付凹部２２を形成する壁下枠部２５の出入口２側の端が、脱衣室側から浴室側に向かって開口下枠部２３の壁部３側の端との間隔が広がるように形成されているので、縦骨２０を浴室側から取り付けることにより容易に取り付けることが可能である。このとき、縦骨２０は取付凹部２２の広い部位から装着されるので、縦骨２０と下枠１４との間に介在されるシール材５５、５６を損傷させることなく縦骨２０を容易に取り付けることが可能である。
【００４０】
また、下枠本体部２９の浴室側の端と繋がって同一平面、すなわち、浴室に臨む面２２ａをなす立上壁部１４ｍが有する、出入口２側に向かって延出された縦骨対向部２２ｂが、縦骨２０の脱衣室側に位置して、縦骨２０との間にシール材５５、５６が介在されているので、下枠本体部２９、壁下枠部２５、縦骨２０との接合部分をより確実にシールすることが可能である。このため、シール材５５、５６を損傷することなく、縦骨２０を下枠１４に容易に取り付け可能な建具１を提供することにある。
【００４１】
上記実施形態においては、壁下枠部２５の出入口２側の端が、脱衣室側から浴室側に向かって開口下枠部２３の壁部３側の端との間隔が広がるような傾斜をなすように切断されている例について説明したが、図７に示すように、壁下枠部２５の出入口２側の端は、見込み方向に沿うように切除されており、切除された端部に、脱衣室側から浴室側に向かって開口下枠部２３の壁部３側の端との間隔が広がるような傾斜部材５８を備えてもよい。この場合には、下枠１４に斜めに切除するような加工を施すことなく、傾斜部材５８を設けるだけで、脱衣室側から浴室側に向かって開口下枠部２３の壁部３側の端との間隔が広がるような傾斜を容易に備えることが可能である。
【００４２】
また、上記実施形態においては、縦骨２０の壁側延出部２０ｄが浴室側に延出されて対向壁部２０ａとほぼ平行に形成されている例について説明したが、図８に示すように、縦骨２０の壁側延出部２０ｄは、壁下枠部２５の出入口２側の端と対向する部位を有していても構わない。この場合には、壁側延出部２０ｄと壁下枠部２５の出入口２側の端、すなわち、壁面材保持部１４ｏの縁とが対向するので、壁側延出部２０ｄと壁面材保持部１４ｏの縁との間においてもシール性を確保することが可能である。このためよりシール性の高い建具１を提供することが可能である。このとき、壁側延出部２０ｄを壁下枠部２５の出入口２側の端と対向するように形成してもよいし、上記実施形態のように、壁側延出部２０ｄは見込み方向に沿うように延出されており、壁側延出部２０ｄに図９に示すような傾斜部材５９を設けてもよい。
【００４３】
また、上記実施形態においては、壁下枠部２５の出入口２側の端が、立上壁部１４ｍ側の端から、脱衣室側から浴室側に向かって開口下枠部２３の壁部３側の端との間隔が広がるような傾斜をなしている例について説明したが、これに限るものではない。例えば、図１０に示すように、壁下枠部２５の出入口２側の端の脱衣室側に見込み方向に沿う見込み縁部２５ａを設けてもよい。この場合には、取付凹部２２に配置された縦骨２０の壁部３側への移動を規制することが可能である。このため、縦骨２０を適切な位置に配置しやすい下枠１４を備えた建具１を提供することが可能である。このとき、開口下枠部２３の壁部３側の端と見込み縁部２５ａとの間隔を、縦骨２０の対向壁部２０ａと壁側延出部２０ｄとの間隔より僅かに広くすると、縦骨２０を位置決めしやすく、かつ、縦骨２０を下枠１４により安定した状態で保持することが可能である。
【００４４】
上記実施形態においては、下枠１４の形状を、押出成形した基材から加工を施す工程を交えて説明したが、下枠の１４の形状が、上記実施形態にて説明した形状をなしていれば、加工方法及び加工手順は、これに限るものではない。
【００４５】
上記実施形態においては、建具を浴室に用いた例について説明したが、浴室に限るものではない。例えば屋内外の境界部分に設けられる建具の場合には、上記実施形態における浴室側が屋外側となる。
【００４６】
また、上記実施形態においては、出入口２を開閉可能な障子５を１枚備えた浴室建具１の例について説明したが、これに限らず、複数枚の障子を備えていても構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  浴室建具(建具)、２  出入口、３  壁部、１０  枠体、１１  縦枠、
１２  縦枠、１３  上枠、１４  下枠、２０  縦骨、２２  取付凹部、
２２ａ  浴室に臨む面、２３  開口下枠部、２５  壁下枠部２５ａ  見込み縁部、
２９  下枠本体部、５５  シール材、５６  シール材、５８  傾斜部材、
５９  傾斜部材
【図１】
0005813493.tif 000002
【図２】
0005813493.tif 000003
【図３】
0005813493.tif 000004
【図４】
0005813493.tif 000005
【図５】
0005813493.tif 000006
【図６】
0005813493.tif 000007
【図７】
0005813493.tif 000008
【図８】
0005813493.tif 000009
【図９】
0005813493.tif 000010
【図１０】
0005813493.tif 000011